(57)【要約】      （修正有）【課題】純正車載機器の専用の取り付け金具を利用してダッシュボードの開口に非純正車載機器を強固に装着できる非純正車載機器の取り付け金具を提供すること。【解決手段】取り付けプレート１１と非純正車載機器３０をピン結合するとともに、取り付けプレート１１と純正車載機器専用の取り付け金具２０の取り付けプレート２１をピン結合し、純正車載機器専用の取り付け金具２０を開口の内面に固定する。非純正車載機器３０をピン結合によって開口に強固に装着できる。純正車載機器専用の取り付け金具２０を利用して非純正車載機器３０を装着するので、非純正車載機器用の取り付け金具１０を開口に固定するために必要なネジ穴等の加工を開口の内部に施す必要がない。【選択図】図２
2017185982.tif 000002
【特許請求の範囲】
【請求項１】
ダッシュボードに形成された車載機器格納用の開口内に純正車載機器専用の取り付け金具を用いて装着される純正車載機器とは規格の異なる非純正車載機器を装着する非純正車載機器の取り付け金具であって、
純正車載機器専用の取り付け金具に形成された複数個の純正車載機器用の連結穴に嵌合する複数個の純正車載機器用の連結ピンが外面から突出し、非純正車載機器に形成された複数個の非純正車載機器用の連結穴に嵌合する複数個の非純正車載機器用の連結ピンが内面から突出する取り付けプレートを備え、
非純正車載機器用の連結穴に非純正車載機器用の連結ピンを嵌合して取り付けプレートと非純正車載機器を結合し、
純正車載機器用の連結穴に純正車載機器用の連結ピンを嵌合して取り付けプレートと純正車載機器専用の取り付け金具を結合し、
純正車載機器専用の取り付け金具を前記開口の内面に固定することにより、非純正車載機器を前記開口に装着するようにしたことを特徴とする非純正車載機器の取り付け金具。
【請求項２】
前記取り付けプレートに前記純正車載機器用の連結穴に整合する複数個の純正車載機器用の整合穴と、前記非純正車載機器用の連結穴に整合する複数個の非純正車載機器用の整合穴を形成し、
純正車載機器用の整合穴を通して純正車載機器用の連結ピンを突設し、
非純正車載機器用の整合穴を通して非純正車載機器用の連結ピンを突設したことを特徴とする請求項１に記載の非純正車載機器の取り付け金具。
【請求項３】
前記取り付けプレートに長穴を形成し、該長穴を通して前記純正車載機器用の連結ピン及び非純正車載機器用の連結ピンを突設したことを特徴とする請求項１に記載非純正車載機器の取り付け金具。
【請求項４】
長穴を形成するとともに、
前記取り付けプレートに前記純正車載機器用の連結穴に整合する複数個の純正車載機器用の整合穴を形成し、
前記長穴を通して非純正車載機器用の連結ピンを突設し、
純正車載機器用の整合穴を通して純正車載機器用の連結ピンを突設したことを特徴とする請求項１に記載の非純正車載機器の取り付け金具。
【請求項５】
長穴を形成するとともに、
前記取り付けプレートに前記非純正車載機器用の連結穴に整合する複数個の非純正車載機器用の整合穴を形成し、
前記長穴を通して純正車載機器用連結ピンを突設し、
非純正車載機器用の整合穴を通して非純正車載機器用の連結ピンを突設したことを特徴とする請求項１に記載の非純正車載機器の取り付け金具。
【請求項６】
前記純正車載機器用の連結ピン及び／又は前記非純正車載機器用の連結ピンを、前記取り付けプレートの一部を折り曲げ加工して形成したことを特徴とする請求項１に記載の非純正車載機器の取り付け金具。
【発明の詳細な説明】
【技術分野】
【０００１】
本発明はダッシュボードに形成された、カーオーディオやカーナビゲーションシステム等の車載機器格納用の開口内に純正車載機器とは規格の異なる非純正車載機器を装着する取り付け金具に関する。
【背景技術】
【０００２】
自動車メーカーが製造時に車両のダッシュボードの開口に装備する純正車載機器は、専用の取り付け金具を用いて取り付けられる。純正車載機器には所定箇所に所定数の純正車載機器連結用の穴が形成されている。そして、連結用の穴に連結用のピンを嵌合して、純正車載機器専用の取り付け金具と純正車載機器を結合し、取り付け金具をダッシュボードの開口の内面に固定することにより純正車載機器が開口に装着される。
【０００３】
純正車載機器は専用の取り付け金具を用いてダッシュボードの開口に装着されるが、純正車載機器と規格が異なる非純正車載機器を開口に装着する場合、予め設けられている連結用の穴の位置や間隔が純正車載機器とは異なるため、純正車載機器専用の取り付け金具を用いて開口に固定することはできない。
【０００４】
純正車載機器専用の取り付け金具で開口に固定できない非純正車載機器をダッシュボードに固定する取り付け金具の一形式として、特許第４２９８７２４号公報には、左右一対の取り付けプレートを底板で連結して構成した取り付け金具が開示されている。
この取り付けプレートの外面には純正車載機器専用の取り付け金具に形成された複数個の純正車載機器連結用のネジ穴に嵌合する複数個の純正車載機器連結用のネジが突設されている。取り付けプレートの前端近傍には板バネが一体に設けられている。
【０００５】
上記非純正車載機の取り付け金具によれば、純正車載機器専用の取り付け金具のネジ穴にネジをねじ込むことにより、非純正車載機器の取り付け金具と純正車載機器専用の取り付け金具を連結する。ついで、純正車載機器専用の取り付け金具をダッシュボードの開口の内面に固定することにより、非純正車載機器の取り付け金具を開口の内面に固定する。
そして、開口に固定した非純正車載機器の取り付け金具の両取り付けプレート間に非純正車載機器を挿入して、板バネで挟持することにより非純正車載機器を開口に装着する。
【先行技術文献】
【特許文献】
【０００６】
【特許文献１】特許第４２９８７２４号
【発明の概要】
【発明が解決しようとする課題】
【０００７】
上記した従来の非純正車載機器の取り付け金具では、取り付けプレートの前端部近傍に設けた板バネのバネ力だけで非純正車載機器を開口に保持するので、車両走行時に加わる振動によって非純正車載機器が徐々に開口からせり出てしまうおそれがある。
本発明はかかる問題点に鑑み、純正車載機器専用の取り付け金具を利用してダッシュボードの開口に非純正車載機器を強固に装着できる非純正車載機器の取り付け金具を提供することを目的とする。
【課題を解決するための手段】
【０００８】
請求項１に記載の発明は、
ダッシュボードに形成された車載機器格納用の開口内に純正車載機器専用の取り付け金具を用いて装着される純正車載機器とは規格の異なる非純正車載機器を装着する非純正車載機器の取り付け金具であって、
純正車載機器専用の取り付け金具に形成された複数個の純正車載機器用の連結穴に嵌合する複数個の純正車載機器用の連結ピンが外面から突出し、非純正車載機器に形成された複数個の非純正車載機器用の連結穴に嵌合する複数個の非純正車載機器用の連結ピンが内面から突出する取り付けプレートを備え、
非純正車載機器用の連結穴に非純正車載機器用の連結ピンを嵌合して取り付けプレートと非純正車載機器を結合し、
純正車載機器用の連結穴に純正車載機器用の連結ピンを嵌合して取り付けプレートと純正車載機器専用の取り付け金具を結合し、
純正車載機器専用の取り付け金具を前記開口の内面に固定することにより、非純正車載機器を前記開口に装着するようにしたことを特徴とする。
【０００９】
請求項２に記載の発明は、請求項１に記載の非純正車載機器の取り付け金具において、
前記取り付けプレートに前記純正車載機器用の連結穴に整合する複数個の純正車載機器用の整合穴と、前記非純正車載機器用の連結穴に整合する複数個の非純正車載機器用の整合穴を形成し、
純正車載機器用の整合穴を通して純正車載機器用の連結ピンを突設し、
非純正車載機器用の整合穴を通して非純正車載機器用の連結ピンを突設したことを特徴とする。
【００１０】
請求項３に記載の発明は、請求項１に記載の非純正車載機器の取り付け金具において、
前記取り付けプレートに長穴を形成し、該長穴を通して前記純正車載機器用の連結ピン及び非純正車載機器用の連結ピンを突設したことを特徴とする。
【００１１】
請求項４に記載の発明は、請求項１に記載の非純正車載機器の取り付け金具において、
長穴を形成するとともに、
前記取り付けプレートに前記純正車載機器用の連結穴に整合する複数個の純正車載機器用の整合穴を形成し、
前記長穴を通して非純正車載機器用の連結ピンを突設し、
純正車載機器用の整合穴を通して純正車載機器用の連結ピンを突設したことを特徴とする。
【００１２】
請求項５に記載の発明は、請求項１に記載の非純正車載機器の取り付け金具において、
長穴を形成するとともに、
前記取り付けプレートに前記非純正車載機器用の連結穴に整合する複数個の非純正車載機器用の整合穴を形成し、
前記長穴を通して純正車載機器用連結ピンを突設し、
非純正車載機器用の整合穴を通して非純正車載機器用の連結ピンを突設したことを特徴とする。
【００１３】
請求項６に記載の発明は、請求項１に記載の発明において、前記純正車載機器用の連結ピン及び／又は前記非純正車載機器用の連結ピンを、前記取り付けプレートの一部を折り曲げ加工して形成したことを特徴とする。
【発明の効果】
【００１４】
請求項１乃至請求項６に記載の発明によれば、取り付けプレートと非純正車載機器をピン結合するとともに、取り付けプレートと純正車載機器専用の取り付け金具をピン結合し、純正車載機器専用の取り付け金具を開口の内面に固定するので、非純正車載機器をピン結合によって開口に強固に装着できる。
【００１５】
純正車載機器専用の取り付け金具を利用して非純正車載機器を装着するので、非純正車載機器用の取り付け金具を開口に固定するために必要なネジ穴等の加工を開口内部に施す必要がない。
【図面の簡単な説明】
【００１６】
【図１】車両のダッシュボードと純正車載機器及びその取り付け金具を示す説明図である。
【図２】本発明の第１実施例に係る非純正車載機器の取り付け金具と純正車載機器の取り付け金具及び非純正車載機器を示す斜視図である。
【図３】本発明の第２実施例に係る非純正車載機器の取り付け金具の取り付けプレートを示す斜視図である。
【図４】本発明の第３実施例に係る非純正車載機器の取り付け金具の取り付けプレートを示す斜視図である。
【図５】本発明の第４実施例に係る非純正車載機器の取り付け金具の取り付けプレートを示す斜視図である。
【図６】本発明の第４実施例に係る非純正車載機器の取り付け金具の取り付けプレートと非純正車載機器を示す斜視図である。
【図７】本発明の第５実施例に係る非純正車載機器の取り付け金具の取り付けプレートを示す斜視図である。
【図８】本発明の第５実施例に係る非純正車載機器の取り付け金具の取り付けプレートと非純正車載機器を示す斜視図である。
【図９】本発明の第６実施例に係る非純正車載機器の取り付け金具の取り付けプレートを示す斜視図である。
【図１０】本発明の第６実施例に係る非純正車載機器の取り付け金具と純正車載機器の取り付け金具及び非純正車載機器を示す斜視図である。
【実施例１】
【００１７】
以下に本発明を図面に基づき説明する。図１には車両のダッシュボード１００が示されている。ダッシュボード１００にはカーオーディオやカーナビゲーションシステム等の純正車載機器を装着するための開口１０１を形成したパネル１０２が着脱可能に取り付けられている。パネル１０２の裏側には、ビス１０３で純正車載機器専用の取り付け金具２０がダッシュボード１００に固定され、該取り付け金具２０で純正車載機器２５がダッシュボード１００に固定されている。
【００１８】
図２には本発明の一実施例に係る非純正車載機器用の取り付け金具１０、純正車載機器専用の取り付け金具２０、及び非純正車載機器３０が示されている。
【００１９】
純正車載機器専用の取り付け金具２０は左右一対の取り付けプレート２１を備えている。各取り付けプレート２１には２個の純正車載機器用の連結穴２１ａと、２個の金具取り付け用の穴２１ｂが形成されている。純正車載機器２５を開口１０１に装着する場合、連結穴２１ａにネジピン（図示略）を通して取り付けプレート２１の内面から突出し、このネジピンを純正車載機器２５の側面に形成した連結用ネジ穴２１ａにねじ込むことにより、純正車載機器２５と純正車載機器専用の取り付け金具２０を結合する。パネル１０２をダッシュボード１００から取り外し、金具取り付け用の穴２１ｂにビス１０３を通してダッシュボード１００に取り付け金具２０を固定することにより、純正車載機器２５をダッシュボードに固定する。しかる後にパネル１０２をダッシュボード１００に取り付け、パネル１０２の開口１０１に純正車載機器２５を装着する。
【００２０】
非純正車載機器取り付け用の金具１０は左右一対の取り付けプレート１１を備えている。各取り付けプレート１１には純正車載機器専用の取り付け金具２０の取り付けプレート２１の２個の連結穴２１ａに整合する２個の純正車載機器用の整合穴１１ａと、非純正車載機器３０の側面３１に形成されている２個の連結用ネジ穴３１ａに嵌合する２個の非純正車載機器用の連結ピン１１ｂが設けられ、連結ピン１１ｂは取り付けプレート１１に基端部が埋め込まれ、内面から突出している。
【００２１】
また、各非純正車載機器の取り付け金具１０の取り付けプレート１１には、図示する純正車載機器専用の取り付け金具２０とは異なる規格の純正車載機器専用の取り付け金具に設けられている連結穴に整合する３個の純正車載機器用の予備整合穴１１ｃと、図示する非純正車載機器３０とは異なる規格の非純正車載機器の側面に形成されている連結用ネジ穴に整合する４個の非純正車載機器用の予備整合穴１１ｄが形成されている。
【００２２】
本実施例に係る非純正車載機器の取り付け金具１０を用いて図示する非純正車載機器３０を開口１０１に装着する手順は以下の通りである。非純正車載機器の取り付け金具１０の取り付けプレート１１の純正車載機器用の整合穴１１ａに純正車載機器用の連結ネジピン１２を通して取り付けプレート１１の外面から突出させ、ナット（図示略）を締め付けて、純正車載機器専用の取り付け金具２０の取り付けプレート２１と非純正車載機器の取り付け金具１０の取り付けプレート１１を連結する。ついで、取り付けプレート１１の連結ピン１１ｂを非純正車載機器３０の側面の連結用ネジ穴３１ａにねじ込み、取り付けプレート１１と非純正車載機器３０を結合する。そして、金具取り付け用の穴２１ｂにビス１０３を通して純正車載機器専用の取り付け金具２０をダッシュボード１００に固定し、パネル１０２をダッシュボード１００に取り付ける。これにより、非純正車載機器３０がダッシュボードの開口１０１に装着される。
【００２３】
本実施例に係る非純正車載機器の取り付け金具１０によれば、取り付けプレート１１と非純正車載機器３０を連結ピン１１ｂでピン結合するとともに、取り付けプレート１１と純正車載機器専用の取り付け金具２０の取り付けプレート２１を純正車載機器用の連結ネジピン１２でピン結合し、純正車載機器専用の取り付け金具２０を開口１０１の内面に固定するので、非純正車載機器３０をピン結合によって開口１０１に強固に装着できる。
【００２４】
純正車載機器専用の取り付け金具２０を利用して非純正車載機器３０を装着するので、非純正車載機器用の取り付け金具１０を開口１０１に固定するために必要なネジ穴等の加工を開口１０１の内部に施す必要がない。
【００２５】
なお、図２に示す非純正車載機器３０とは規格が異なり、連結用ネジ穴３１ａの位置が違う非純正車載機器を開口１０１に装着する場合は、予備整合穴１１ｄの中からその連結用ネジ穴３１ａに整合する予備整合穴１１ｄを選択し、そこに連結用ネジピン１２を植設する。
同様に、図２に示す純正車載機器専用の取り付け金具２０と規格の異なる純正車載機器専用の取り付け金具が開口１０１に装着される場合、その取り付けプレートの連結穴に整合する予備整合穴１１ｃに連結用ネジピン１２を通して取り付けプレートの外面から突出させる。
【実施例２】
【００２６】
本発明の第２実施例に係る非純正車載機器の取り付け金具１０の取り付けプレート１１Ａを図３に示す。図２に示す実施例では取り付けプレート１１に連結ピン１１ｂを植設したが、図３に示す第２実施例では取り付けプレート１１Ａに非純正車載機器３０の側面に形成されている連結用ネジ穴３１ａに整合する整合穴１１ｅが形成されている。第２実施例に係る取り付け金具１０の取り付けプレート１１Ａは、該整合穴１１ｅを通して連結用ネジピン１３を連結用ネジ穴３１ａにねじ込むことにより非純正車載機器３０に結合される。
なお、本実施例に係る取り付け金具１０の他の構成は、第１実施例に係る取り付け金具１０と同じであるので、同一の構成要素に同一の符号を付して説明を省略する。
【実施例３】
【００２７】
本発明の第３実施例に係る非純正車載機器の取り付け金具１０の取り付けプレート１１Ｂを図４に示す。当該取り付けプレート１１Ｂには一本の横に延びる長穴１１ｆが形成されている。取り付けプレート１１Ｂの外面には、長穴の上辺に近接する２箇所に取り付けプレート２１の連結穴２１ａの位置を示す目印１１ｇが付けられている。また、取り付けプレート１１Ｂの内面には、長穴１１ｆの下辺に近接する２箇所に非純正車載機器の連結用ネジ穴３１ａの位置を示す目印１１ｈが付けられている。
なお、本実施例に係る取り付け金具１０の他の構成は、第１実施例に係る取り付け金具１０と同じであるので、同一の構成要素に同一の符号を付して説明を省略する。
【００２８】
この取り付けプレート１１Ｂは、連結用ネジピン１２を目印１１ｇの位置から長穴を通して外面から突出させ、目印１１ｈの位置から連結用ネジピン１３を長穴に通して内面から突出させ、連結用ネジピン１３を非純正車載機器の連結用ネジ穴３１ａに取り付けプレート１１Ｂを非純正車載機器３０に結合する。そして、連結用ネジピン１２を純正車載機器専用の取り付け金具２０の取り付けプレート２１の連結穴２１ａに通してナットで締め付けることにより取り付けプレート１１Ｂと取り付けプレート２１を結合する。
【実施例４】
【００２９】
本発明の第４実施例に係る非純正車載機器の取り付け金具１０の取り付けプレート１１Ｃを図５に示す。当該取り付けプレート１１の上端部と下端部には折り曲げ部１１ｉが一体に設けられている。この取り付けプレート１１Ｃは図６に示すように、非純正車載機器の側面に連結したとき、折り曲げ部１１ｉがそれぞれ非純正車載機器の上面と下面に係止するので、取り付けプレート１１Ｃと非純正車載機器３０を強固に連結でき、かつ取り付けプレート１１Ｃの取り付け作業も容易になる。
なお、本実施例に係る取り付け金具１０の取り付けプレート１１Ｃの他の構成は、第３実施例に係る取り付け金具１０の取り付けプレート１１Ｂと同じであるので、同一の構成要素に同一の符号を付して説明を省略する。
【実施例５】
【００３０】
本発明の第５実施例に係る非純正車載機器の取り付け金具１０Ａを図７に示す。当該取り付け金具１０Ａは前面と後面を開口とする箱型構造を有し、左右両側面が取り付けプレート１１Ｄを構成している。この取り付けプレート１１Ｄの構造は図４に示す取り付けプレート１１Ｂと同じであるので、同一の構成要素に同一の符号を付して説明を省略する。
第５実施例に係る非純正車載機器の取り付け金具１０Ａによれば、図８に示すように前面開口から非純正車載機器３０を嵌合できるので、取り付け金具１０Ａと非純正車載機器３０を強固に連結でき、かつ取り付け金具１０Ａの取り付け作業も容易になる。
【実施例６】
【００３１】
本発明の第６実施例に係る非純正車載機器の取り付け金具１０の取り付けプレート１１Ｅを図９に示す。取り付けプレート１１Ｅは所定箇所が切断され、切断線１１ｊ，１１ｋで区画された部分を内側に折り曲げ加工することにより非純正車載機器用の連結ピン１１ｍが形成されている。
なお、本実施例に係る取り付けプレート１１Ｅの他の構成は、第１実施例に係る取り付けプレート１１と同じであるので、同一の構成要素に同一の符号を付して説明を省略する。
【００３２】
本実施例に係る非純正車載機器の取り付け金具１０を用いて非純正車載機器３０を開口１０１に装着する場合、図１０に示すように、非純正車載機器の取り付け金具１０の取り付けプレート１１Ｅの純正車載機器用の整合穴１１ａに連結用ネジピン１２を通して、取り付けプレート１１Ｅの外面から突出させ、ナット（図示略）を締め付けて、純正車載機器専用の取り付け金具２０の取り付けプレート２１と非純正車載機器の取り付け金具１０の取り付けプレート１１Ｅを連結する。ついで、取り付けプレート１１Ｅの連結ピン１１ｍを非純正車載機器３０の側面の連結用ネジ穴３１ａにねじ込み、取り付けプレート１１Ｅと非純正車載機器３０を結合する。そして、金具取り付け用の穴２１ｂにビス１０３を通して純正車載機器専用の取り付け金具２０をダッシュボード１００に固定し、パネル１０２をダッシュボード１００に取り付ける。これにより、非純正車載機器３０がダッシュボードの開口１０１に装着される。
【００３３】
本実施例に係る非純正車載機器３０の取り付け金具１０では、取り付けプレート１１Ｅの非純正車載機器用の連結ピン１１ｍを折り曲げ加工により形成したので、部品点数が少なく製造コストを低減できる。
なお、本実施例では非純正車載機器用の連結ピン１１ｍだけを折り曲げ加工で形成したが、純正車載機器用の連結ネジピン１２についても折り曲げ加工で形成すれば、より製造コストの低減を図ることができる。
【符号の説明】
【００３４】
１０，１０Ａ…非純正車載機器の取り付け金具
１１，１１Ａ，１１Ｂ，１１Ｃ，１１Ｄ，１１Ｅ…取り付けプレート
１１ａ…整合穴
１１ｂ，１１ｍ…非純正車載機器用の連結ピン
１１ｃ…予備整合穴
１１ｄ…予備整合穴
１１ｅ…整合穴
１１ｆ…長穴
１１ｇ，１１ｈ…目印
１１ｉ…折り曲げ部
１２…純正車載機器用の連結ネジピン
２０…純正車載機器の取り付け金具
２１…純正車載機器の取り付け金具の取り付けプレート
２１ａ…連結穴
２１ｂ…金具取り付け用の穴
２５…純正車載機器
３０…非純正車載機器
３１ａ…連結用ネジ穴
１００…ダッシュボード
１０１…開口
【図１】
2017185982.tif 000003
【図２】
2017185982.tif 000004
【図３】
2017185982.tif 000005
【図４】
2017185982.tif 000006
【図５】
2017185982.tif 000007
【図６】
2017185982.tif 000008
【図７】
2017185982.tif 000009
【図８】
2017185982.tif 000010
【図９】
2017185982.tif 000011
【図１０】
2017185982.tif 000012